(57)【要約】      （修正有）【課題】既存の窓枠やサッシ窓自体に何ら加工することなく、極めて容易に換気扇を後付けできる換気用窓パネル装置を提供する。【解決手段】換気用窓パネル装置１は、窓枠１０に対して少なくとも左右一対の引戸が設けられた引き戸式窓において、引戸のどちらか一方を半開きにし、窓枠１０と引戸との隙間に着脱自在に取付ける換気用窓パネル装置１であって、少なくともソーラーパネルと換気ファン３とが設けられた長方形の板状部材２と、板状部材２の左右のいずれか一端に設けられた引戸の枠部１２と勘合する勘合部材と、板状部材２の他端に設けられた窓枠１０に当接する密閉フィン部とから構成される。【選択図】図１
0003230748.tif 000002
【実用新案登録請求の範囲】
【請求項１】
窓枠に対して少なくとも左右一対の引戸が設けられた引き戸式窓において、前記引戸のどちらか一方を半開きにし、窓枠と引戸との隙間に着脱自在に取付ける換気用窓パネル装置であって、
前記換気用窓パネル装置は、少なくともソーラーパネルと換気ファンとが設けられた長方形の板状部材と、前記板状部材の左右のいずれか一端に設けられた前記引戸の枠部と勘合する勘合部材と、前記板状部材の他端に設けられた前記窓枠に当接する密閉フィン部とから構成されることを特徴とする換気用窓パネル装置。
【請求項２】
請求項１記載の換気用窓パネル装置において、
前記換気ファンはＤＣ駆動ファンであって、前記ソーラーパネル電源とバッテリー電源とＡＣアダプタ電源とを切り替えて使用可能とするとともに、電源と換気ファンとの間には可変抵抗器を設けたことを特徴とする換気用窓パネル装置。
【請求項３】
請求項１又は請求項２に記載の換気用窓パネル装置において、
前記板状部材は前記引戸の高さと略同一の高さ寸法を有するとともに、前記板状部材の上端には前記窓枠に当接する密閉フィンが設けられていることを特徴とする換気用窓パネル装置。
【考案の詳細な説明】
【技術分野】
【０００１】  本考案は、既存の引き戸式サッシ窓枠に容易に取り付けることができる換気扇付窓に関するものである。
【背景技術】
【０００２】  家屋の換気装置としては、通常は建築時に換気扇の取付部を設けて換気扇を設置することが一般的である。しかしながら、増改築時のように新たに換気扇を設置する場合は、既存の壁に換気扇の取付穴を後から加工する必要が生じるため、加工の手間や費用がかさんでいた。そこで、従来は、サッシのガラスの代わりに電動換気ファンが固定された板材を取付ける方法や、網戸に電動換気ファンを固定する方法等が提案されていた。
【先行技術文献】
【特許文献】
【０００３】
【特許文献１】特開２００５−２７３２６８号公報
【特許文献２】特開２０１３−２２５２号公報
【考案の概要】
【考案が解決しようとする課題】
【０００４】  しかしながら、上記２つの方法は、サッシ窓のガラス自体を交換したり、網戸自体にビスで取付ける等の作業を必要とするものであった。本考案は、既存の窓枠やサッシ窓自体に何ら加工することなく、極めて容易に換気扇を後付けできる換気装置を課題とするものである。
【課題を解決するための手段】
【０００５】  本考案の換気用窓パネル装置は、窓枠に対して少なくとも左右一対の引戸が設けられた引き戸式窓において、前記引戸のどちらが一方を半開きにし、窓枠と引戸との隙間に着脱自在に取付ける換気用窓パネル装置であって、前記換気用窓パネル装置は、少なくともソーラーパネルと換気ファンとが設けられた長方形の板状部材と、前記板状部材の左右のいずれか一端に設けられた前記引戸の枠部と勘合する勘合部材と、前記板状部材の他端に設けられた前記窓枠に当接する密閉フィン部とから構成されることを特徴とするものである。
更に、前記換気ファンはＤＣ駆動ファンであって、前記ソーラーパネル電源とバッテリー電源とＡＣアダプタ電源とを自在に切り替え可能とする切替スイッチと、電源と換気ファンとの間には可変抵抗器を設けて風量を調節することを可能とするものである。
【考案の効果】
【０００６】  上述のように、引戸式窓の引戸を半開きにした際に窓枠と引戸とから形成される開口面に、ソーラーパネルと電動換気ファンを設けた長方形状の板状部材からなる換気用窓パネル装置をはめ込むことができるものであって、既存の窓枠に何らの加工も施すことなく換気装置を後付けすることが可能となる。
【図面の簡単な説明】
【０００７】
【図１】本考案の一例に係る換気用窓パネル装置を取り付けた状態を屋内から見た正面図
【図２】本考案の一例に係る換気用窓パネル装置を取り付けた状態の模式的平面図
【図３】本考案の一例に係る換気用窓パネル装置を取り付けた状態の模式的側面図
【図４】本考案の一例に係る換気用窓パネル装置を取り付けた状態を屋外から見た正面図
【図５】本考案の一例に係る回路図
【図６】本考案の換気用窓パネル装置を取り付けた部屋の換気状態を示す図
【図７】図２の部分的拡大図
【考案を実施するための形態】
【０００８】  以下、添付図面に沿って本考案について説明する。図１には本考案の一実施形態例に係る換気用窓パネル装置を取付けた窓の屋内側からの正面視、同じく図２には模式的平面視、同じく図３には模式的側面視、同じく図４には屋外側からの正面視、図５には電動換気ファンの回路構成、図６には室内の換気状態、図７には主要部材の拡大構成を示してある。
【０００９】  図１、図２に示すように、窓枠１０には２枚の引戸１１ａ、１１ｂがスライド自在に設けられており、引戸１１ｂが左方向にスライドされて形成された開口面に換気用窓パネル装置１が取り付けられる。換気用窓パネル装置１は、長方形の板状部材２に換気ファン３、ソーラーパネル４、換気ファンフード５、制御部７が搭載された構成となっている。
窓枠１０の内側面の全周には図７（Ａ）に示すように溝部１３が形成されており、該溝部１３に沿って引戸７ａ、７ｂがスライドする。長方形の板状部材２の高さ方向は引戸７ａ、７ｂの高さと略同一の寸法を有している。よって長方形の板状部材２は引戸７ａ、７ｂと同様に、窓枠１０の上側内側面の溝部１３と下側内側面の溝部１３との間にはめ込まれるようになっている。また長方形の板状部材２の幅方向は少なくとも、換気ファン３やソーラーパネル４、換気ファンフード５等が搭載できる寸法が必要であり、最大でも引戸１１ａ、１１ｂの幅より小さい必要がある。また長方形の板状部材２の一方の横側面には、引戸７ｂの外周を形成する引戸枠１２と嵌合できるような勘合部材６が設けられている。勘合部材６は断面が凹状をなしており、凹状部に引戸枠１２がはまり込んで引戸と長方形の板状部材２とが堅固に固定されるようになっている。更に長方形の板状部材２の他方の横側面には柔軟部材からなる密閉フィン８が設けられており、窓枠１０の窓枠溝部１３と当接する際の隙間のガタを吸収するとともに密閉性を向上させる作用をなす。同様に、長方形の板状部材２の上端にも密閉フィン８が設けられており、窓枠１０の上端の内側面の窓枠溝部１３と当接する際の隙間のガタを吸収するとともに密閉性を向上させる作用をなす。
また、換気用窓パネル装置１の電気回路の構成を図５に示す。なお、電気回路は図示しないものの制御部７に組み込まれている。ソーラーパネル４と制御部７に搭載するバッテリーとＡＣアダプタを介したＤＣ電源とを必要に応じて切替スイッチで切り替えて使用することができる。切替スイッチと換気ファン３との間には風量調整のための可変抵抗が設けられている。
また、長方形の板状部材２に対する換気ファン３の取付け方向を逆にすることで、換気ファン３の風向き方向が変えることができ、屋内の空気を排気する方向と屋外の空気を吸気する方向との両方に使用することができる。図６に示すように、排気と吸気をセットで利用することで、通常部屋に設置されている１個の換気扇を使うよりも効率よく部屋の換気を実施することができる。
上述したように、本考案の換気用窓パネル装置は、既存の窓に何らの加工を施すことなく、窓枠と引戸との隙間（開口面）に換気ファンを容易に取り付け、取り外しができることを特徴とするものである。
【符号の説明】
【００１０】１  換気用窓パネル装置
２  板状部材
３  換気ファン
４  ソーラーパネル
５  換気ファンフード
６  勘合部材
７  制御部
８  密閉フィン
１０  窓枠
１１ａ  １１ｂ  引戸
１２  引戸枠
１３  窓枠溝部
【図１】
0003230748.tif 000003
【図２】
0003230748.tif 000004
【図３】
0003230748.tif 000005
【図４】
0003230748.tif 000006
【図５】
0003230748.tif 000007
【図６】
0003230748.tif 000008
【図７】
0003230748.tif 000009
【手続補正書】
【提出日】令和2年11月20日(2020.11.20)
【手続補正１】
【補正対象書類名】実用新案登録請求の範囲
【補正対象項目名】全文
【補正方法】変更
【補正の内容】
【実用新案登録請求の範囲】
【請求項１】
窓枠に対して少なくとも左右一対の引戸が設けられた引き戸式窓において、前記引戸のどちらか一方を半開きにし、窓枠と引戸との隙間に着脱自在に取付ける換気用窓パネル装置であって、
前記換気用窓パネル装置は、少なくともソーラーパネルと換気ファンとが設けられた長方形の板状部材と、前記板状部材の左右のいずれか一端に設けられた前記引戸の枠部と勘合する勘合部材と、前記板状部材の他端に設けられた前記窓枠に当接する密閉フィン部とから構成されることを特徴とする換気用窓パネル装置。
【請求項２】
請求項１記載の換気用窓パネル装置において、
前記換気ファンはＤＣ駆動ファンであって、前記ソーラーパネルとバッテリー電源とＡＣアダプタ電源とを切り替えて使用可能とするとともに、電源と換気ファンとの間には可変抵抗器を設けたことを特徴とする換気用窓パネル装置。
【請求項３】
請求項１又は請求項２に記載の換気用窓パネル装置において、
前記板状部材は前記引戸の高さと略同一の高さ寸法を有するとともに、前記板状部材の上端には前記窓枠に当接する密閉フィンが設けられていることを特徴とする換気用窓パネル装置。